(57)【要約】      （修正有）【課題】簡易な構成で、搬送中に搬送物が荷崩れを起こしたり移動したりすることを防止可能な小荷物専用昇降機のかご室であって、かご室内への搬送物の出し入れが阻害される虞の少ないかご室を提供すること、並びに、そのようなかご室を有する小荷物専用昇降機を用いた搬送方法を提供すること。【解決手段】荷物専用昇降機のかご室3は、昇降路内を昇降するかご本体20と、かご本体20の出し入れ口20aに上下方向にスライド可能に設けられたドアパネル21aと、前端51と後端52とを有し、前端51がドアパネル21aに固定された搬送物固定シート50と、搬送物固定シート50の後端を固定したシート固定部60と、を備える。【選択図】図４
2020083559.tif 000002
【特許請求の範囲】
【請求項１】
昇降路内を昇降するかご本体と、
前記かご本体の出し入れ口に上下方向にスライド可能に設けられたドアパネルと、
前端と後端とを有し、前端が前記ドアパネルに固定された搬送物固定シートと、
前記搬送物固定シートの後端を固定したシート固定部と、を備えた
ことを特徴とする小荷物専用昇降機のかご室。
【請求項２】
前記シート固定部は、前記かご本体の後板または天板を含む
ことを特徴とする請求項１に記載の小荷物専用昇降機のかご室。
【請求項３】
前記シート固定部は、前記かご本体の内部を上下方向に移動可能である
ことを特徴とする請求項１に記載の小荷物専用昇降機のかご室。
【請求項４】
前記ドアパネルと前記シート固定部との間に設けられ、前記ドアパネルの上下方向の移動に伴って前記かご本体の内部を上下方向に移動可能に支持された中間支持部を更に備え、
前記搬送物固定シートは、前記前端よりも上方で、前記中間支持部によって支持されている
ことを特徴とする請求項１乃至３のいずれか一項に記載の小荷物専用昇降機のかご室。
【請求項５】
前記中間支持部は、前記搬送物固定シートに対して移動可能である
ことを特徴とする請求項４に記載の小荷物専用昇降機のかご室。
【請求項６】
請求項１乃至５のいずれか一項に記載のかご室を有する小荷物専用昇降機で搬送物を搬送する方法であって、
前記ドアパネルを上方にスライドさせて前記出し入れ口を開放する工程と、
開放された前記出し入れ口を通じて搬送物を前記かご本体内に配置する工程と、
前記ドアパネルを下方にスライドさせて前記出し入れ口を閉鎖しつつ前記搬送物固定シートの前端を下降させて、前記搬送物固定シートで前記搬送物を押さえる工程と、を備えた
ことを特徴とする搬送方法。
【発明の詳細な説明】
【技術分野】
【０００１】
本発明の実施の形態は、小荷物専用昇降機のかご室、および、小荷物専用昇降機を用いた搬送方法に関する。
【背景技術】
【０００２】
小荷物専用昇降機を用いて荷物を搬送する方法が知られている。小荷物専用昇降機は、専ら荷物を搬送するために用いられ、小荷物専用昇降機の利用者は、かご室に同乗しない。利用者は、かご室内に荷物を積み込んだ後、行き先階を登録して荷物のみを行き先階に送る。
【先行技術文献】
【特許文献】
【０００３】
【特許文献１】特開平７−１３７９５７号公報
【特許文献２】特開平７−１３７９５８号公報
【発明の概要】
【発明が解決しようとする課題】
【０００４】
ところで、小荷物専用昇降機で荷物を行き先階に搬送する場合、搬送中にかご室が振動したり傾いたりして、荷崩れが生じることがある。また、荷物がかご室内を移動してかごドアに当接し、かご室が行き先階に着床した際にかごドアの開放を妨げることがある。かご室には利用者が同乗していないので、利用者が荷物を保持して荷崩れや移動を防止することはできない。
【０００５】
特許文献１には、各階床に設けられた出し入れ口ドアに連動して作動する車止め機構を有する小荷物専用昇降機が開示されている。この車止め機構では、かご床に設けられた車止めが、出し入れ口ドアに連動して起伏する。また、特許文献２には、かご室内に配置された台車に側方から当接して台車を保持する保持装置を有するかご室が開示されている。特許文献１の車止め機構および特許文献２の保持装置は、荷物が載せられてかご室内に配置された台車のかご室内における移動を防止することにより、荷崩れや荷物の移動を防止する。
【０００６】
しかしながら、特許文献１の車止め機構は、車止めを出し入れ口ドアに連動して起伏させるために、出し入れ口ドアと連動する電源スイッチや、電磁コイル等を含む作動手段を含み、構成が複雑である。また、特許文献２の保持装置は、利用者が台車をかご室内に出し入れする際にも、台車の移動を阻害する。
【０００７】
本発明は、このような点を考慮してなされたものであり、簡易な構成で、搬送中に搬送物が荷崩れを起こしたり移動したりすることを防止可能な小荷物専用昇降機のかご室であって、かご室内への搬送物の出し入れが阻害される虞の少ないかご室を提供すること、を目的とする。また、そのようなかご室を有する小荷物専用昇降機を用いた搬送方法を提供すること、を目的とする。
【課題を解決するための手段】
【０００８】
一実施の形態による小荷物専用昇降機のかご室は、
昇降路内を昇降するかご本体と、
前記かご本体の出し入れ口に上下方向にスライド可能に設けられたドアパネルと、
前端と後端とを有し、前端が前記ドアパネルに固定された搬送物固定シートと、
前記搬送物固定シートの後端を固定したシート固定部と、を備えている。
【０００９】
また、一実施の形態による搬送方法は、
上述したかご室を有する小荷物専用昇降機で搬送物を搬送する方法であって、
前記ドアパネルを上方にスライドさせて前記出し入れ口を開放する工程と、
開放された前記出し入れ口を通じて搬送物を前記かご内に配置する工程と、
前記ドアパネルを下方にスライドさせて前記出し入れ口を閉鎖しつつ前記搬送物固定シートの前端を下降させて、前記搬送物固定シートで前記搬送物を押さえる工程と、を備えている。
【図面の簡単な説明】
【００１０】
【図１】図１は、本発明の第１の実施の形態における小荷物専用昇降機の構成を示す概略図である。
【図２】図２は、図１の小荷物専用昇降機のかご室の内側を、階床出し入れ口の側から示す図である。
【図３】図３は、図２のIII−III線に沿った断面図である。
【図４】図４は、図３に示すかご室を戸閉した状態で示す断面図およびその部分拡大図である。
【図５】図５は、図３に対応する図であって、第２の実施の形態における小荷物専用昇降機のかご室を示す断面図およびその部分拡大図である。
【図６】図６は、図５に示すかご内ガイドレールと中間支持部材とを、かご室の内側から示す斜視図である。
【図７】図７は、図５に示すかご室を戸閉した状態で示す断面図およびその部分拡大図である。
【図８】図８は、図３に対応する図であって、第３の実施の形態における小荷物専用昇降機のかご室を示す断面図である。
【図９】図９は、図８に示すかご内ガイドレールと中間支持部材とシート固定部とを、かご室の内側から示す斜視図である。
【図１０】図１０は、図８に示すかご室を戸閉した状態で示す断面図およびその部分拡大図である。
【図１１】図１１は、搬送物固定シートの変形例を示す平面図である。
【発明を実施するための形態】
【００１１】
以下、図面を参照して本発明の実施の形態について説明する。
【００１２】
（第１の実施の形態）
図１乃至図４を参照して、第１の実施の形態による小荷物専用昇降機について説明する。図１には、第１の実施の形態における小荷物専用昇降機の構成が示されている。また、図２乃至図４には、図１に示す小荷物専用昇降機に含まれるかご室の内部が示されている。
【００１３】
なお、以下の説明においては、鉛直方向を上下方向と言う。また、かご室およびその構成要素に対しては、搬送物がかご室内から出る方向を前方と、搬送物がかご室内に入り込む方向を後方と言う。また、前後方向および上下方向のいずれにも直交する方向を幅方向と言う。
【００１４】
図１に示すように、小荷物専用昇降機1は、昇降路2内を昇降可能なかご室3と、かご室3を支持するかご枠構造（図示せず）に主ロープ4を介して連結された釣合錘5と、主ロープ4を介してかご室3及び釣合錘5を昇降させる巻上機（昇降駆動部）6と、巻上機6を制御する制御装置7と、を備えている。主ロープ4は、巻上機6に連結されたトラクションシーブ8に巻き掛けられている。このような構成において、巻上機6がトラクションシーブ8を回転駆動することにより、主ロープ4が巻き上げられて、かご室3及び釣合錘5がそれぞれ昇降する。これにより、かご室3は、建物に設けられた複数の階床9のうちの任意の階床9に着床することができる。そして、小荷物専用昇降機1の利用者は、かご室3が着床した階床9からかご室3に、搬送物30を出し入れすることができる。
【００１５】
図２に示すように、各階床9の出し入れ口（以下、「階床出し入れ口」と称する）9aには、かご運転操作盤10が設けられている。かご運転操作盤10は、かご呼び登録や行き先階登録を行うために利用者が操作可能な操作ボタン10aを有している。そして、制御装置7は、上述したかご呼び登録および行き先階登録に応じて巻上機6を制御して、かご室3を、かご呼びが行われた階床9にあるいは登録された行き先階に着床させるようになっている。
【００１６】
図３に示すように、各階床出し入れ口9aには、出し入れ口ドア11が設けられている。出し入れ口ドア11は、上ドアパネル11aと、上ドアパネル11aの下方に配置された下ドアパネル11bとを含む。上ドアパネル11aおよび下ドアパネル11bは、上下方向にスライドして、階床出し入れ口9aを開閉する。具体的には、上ドアパネル11aおよび下ドアパネル11bを、それぞれ、階床出し入れ口9aの上方及び下方の開放位置に配置することにより、階床出し入れ口9aを開放することができる。また、上ドアパネル11aおよび下ドアパネル11bを、それぞれ、図３に示す開放位置から下方および上方にスライドさせ、上ドアパネル11aと下ドアパネル11bとが当接する閉鎖位置に配置することにより、階床出し入れ口9aを閉鎖することができる。
【００１７】
図２乃至図４に示すように、かご室3は、出し入れ口20aを有するかご本体20と、かご本体20の出し入れ口20aに設けられたかごドア21と、を含む。
【００１８】
かご本体20は、かご床22と、かご床22の上に互いに対面して配置された前後方向に延びる一対の側板23，24と、側板23，24の後端部間を幅方向に延びる後板25と、一対の側板23，24および後板25の上方に配置された天板26と、を含む。後板25に対面して、かご本体20の出し入れ口（以下、「かご出し入れ口」と称する）20aが形成されている。
【００１９】
上述したように、かご出し入れ口20aには、かごドア21が設けられている。かごドア21は、上ドアパネル21aと、上ドアパネル21aの下方に配置された下ドアパネル21bとを含む。上ドアパネル21aおよび下ドアパネル21bは、上下方向にスライドして、かご出し入れ口20aを開閉する。具体的には、図３に示すように、上ドアパネル21aおよび下ドアパネル21bを、それぞれ、かご出し入れ口20aの上方および下方の開放位置に配置することにより、かご出し入れ口20aを開放することができる。また、上ドアパネル21aおよび下ドアパネル21bを、それぞれ、図３に示す開放位置から下方および上方にスライドさせて、上ドアパネル21aと下ドアパネル21bとが当接する閉鎖位置（図４参照）に配置することにより、かご出し入れ口20aを閉鎖することができる。
【００２０】
上述した階床出し入れ口9aおよびかご出し入れ口20aは、当該階床出し入れ口9aが設けられた階床9にかご室3が着床した際に、開放されて連通される。これにより、階床出し入れ口9aからかご室3内へ搬送物30を出し入れすることができる。また、階床出し入れ口9aおよびかご出し入れ口20aは、当該階床出し入れ口9aが設けられた階床9から他の階床にかご室3が移動する際、閉鎖される。
【００２１】
ところで、このような小荷物専用昇降機1を用いて搬送物30を搬送する場合、搬送中にかご室3内で荷崩れが生じることがある。また、搬送中に搬送物30がかご室内3を移動してかごドア21に当接することがある。搬送物30がかごドア21に当接すると、かご室3が行き先階に着床した際、搬送物30によって、かご室3の戸開が妨げられてしまう虞がある。このような点を考慮して、かご室3は、かご室3内の搬送物30を押さえる搬送物固定シート50を有している。
【００２２】
搬送物固定シート50は、図示された例では、全体として方形であり、前端51と後端52とを有する。搬送物固定シート50の前端51は、かごドア21の上ドアパネル21aの下端部に固定されている。図示された例では、上ドアパネル21aの下端部には、かご室3内に向けて突出する突出部21cが設けられている。搬送物固定シート50の前端51は、この突出部21cに固定されている。一方、搬送物固定シート50の後端52は、かご室3内のシート固定部60に、かご室3に対して移動不能に固定されている。図示された例では、シート固定部60はかご本体20の後板25であるが、これに限られない。シート固定部60は、かご本体20の天板26や側板23,24であってもよい。
【００２３】
上述したように、搬送物固定シート50の前端51は、かごドア21の上ドアパネル21aに固定されている。これにより、前端51は、上ドアパネル21aの上下方向の移動に伴って上下方向に移動する。したがって、図３に示すように、かごドア21が開放されているときは、搬送物固定シート50の前端51は天板26の近傍に配置される。これにより、かご室3からの搬送物30の出し入れが搬送物固定シート50によって阻害される、ということが防止される。一方、上ドアパネル21aが図３に示す開放位置から図４に示す閉鎖位置に下降してかご出し入れ口20aが閉鎖されると、搬送物固定シート50の前端51は上ドアパネル21aと共に下降する。そして、図４に示すように、かご室3内に搬送物30が配置されている場合、搬送物固定シート50は、搬送物30を押さえる。これにより、かご室3が昇降路2内を移動中に、搬送物30がかご室3内で荷崩れを起こしたり移動したりすることを抑制することができる。
【００２４】
図示された例では、搬送物固定シート50は、上ドアパネル21aが図４に示す閉鎖位置にある際、かご室3内の搬送物30に、上方且つ前方から当接する。そして、搬送物固定シート50から搬送物30に、下方且つ後方に向かう力F1が働く。これにより、かご室3が昇降路2内を移動中に搬送物30がかご室3内を前方に移動してかごドア21に当接することを、効果的に抑制することができる。
【００２５】
また、図示された例では、搬送物固定シート50は、前後方向に伸縮可能である。これにより、搬送物固定シート50によって上ドアパネル21aの下方への移動が阻害されることを防止しつつ、搬送物30を適切に押さえることができる。
【００２６】
さらに、図示された例では、かご本体20のかご床22には、台車31の後方への移動を規制する車止め28が設けられている。これにより、搬送物30が台車31を含む場合、すなわち荷物32を台車31に載せて搬送する場合、かご室3内での台車31の位置を安定させることができる。これにより、かご室3が昇降路2内を移動中に、搬送物30がかご室3内で荷崩れを起こしたり移動したりすることを、さらに効果的に抑制することができる。
【００２７】
次に、このような小荷物専用昇降機1を用いた搬送物30の搬送方法について説明する。
【００２８】
まず、台車31に荷物32を載せた搬送物30を準備する。そして、階床出し入れ口9aに設けられたかご運転操作盤10の操作ボタン10aを操作して、かご呼びを行う。かご呼びが行われた階床9にかご室3が着床したら、階床出し入れ口9aの出し入れ口ドア11を開放する。また、かご出し入れ口20aのかごドア21を開放する。具体的には、出し入れ口ドア11およびかごドア21の上ドアパネル11a,21aを上方にスライドさせ、下ドアパネル11b,21bを下方にスライドさせる。これにより、階床出し入れ口9aとかご出し入れ口20aとが連通する。このとき、搬送物固定シート50の前端51は、かごドア21の上ドアパネル21aの下端と共に、かご本体20の天板26の近傍に配置される。
【００２９】
次に、搬送物30をかご室3内に配置する。このとき、搬送物30の台車31の車輪31aを、前方から車止め28に当接させる。その後、かご出し入れ口20aのかごドア21を閉鎖する。また、階床出し入れ口9aの出し入れ口ドア11を閉鎖する。具体的には、出し入れ口ドア11およびかごドア21の上ドアパネル11a,21aを下方にスライドさせ、下ドアパネル11b,21bを上方にスライドさせる。かごドア21の上ドアパネル21aを下方にスライドさせることにより、上ドアパネル21aと共に搬送物固定シート50の前端51が下降し、搬送物30は、搬送物固定シート50により下方かつ後方に押さえられる。この結果、かご室3が昇降路2内を移動中に、搬送物30がかご室3内で荷崩れを起こしたり前方に移動したりすることが、抑制される。このように、かごドア21を開放し、搬送物30をかご室3内に配置し、かごドア21を閉鎖する、という通常の積み込み作業を行うだけで、搬送物30をかご室3内に固定することができ、搬送物30の荷崩れや移動を防止することができる。
【００３０】
その後、階床出し入れ口9aに設けられたかご運転操作盤10の操作ボタン10aを操作して、かご室3の行き先階登録を行う。
【００３１】
このように、第１の実施の形態によれば、小荷物専用昇降機1のかご室3は、昇降路2内を昇降するかご本体20と、かご本体20の出し入れ口20aに上下方向にスライド可能に設けられたドアパネル（上ドアパネル）21aと、前端51と後端52とを有し、前端51がドアパネル21aに固定された搬送物固定シート50と、搬送物固定シート50の後端52を固定したシート固定部60と、を備えている。
【００３２】
このような小荷物専用昇降機1のかご室3によれば、簡易な構成で、搬送物30が搬送中にかご室3内で荷崩れを起こしたり移動したりすることを抑制することができる。また、上記かご室3によれば、搬送物固定シート50によって搬送物のかご室3内への出し入れが阻害される虞も少ない。さらに、特別な操作を行うことなく、通常の積み込み作業を行うだけで、搬送物固定シート50によって搬送物30をかご室3内に固定することができる。具体的には、かご室3内に搬送物30を配置した後にドアパネル21aを下方にスライドさせるだけで、搬送物30を固定することができる。
【００３３】
また、本実施の形態によれば、シート固定部60は、かご本体20の後板25または天板26を含む。これにより、かご室3の構成を、より単純にすることができる。
【００３４】
また、本実施の形態によれば、搬送物固定シート50は、前後方向に伸縮可能である。これにより、搬送物固定シート50によって上ドアパネル21aの下方への移動が阻害されることを防止しつつ、搬送物30を適切に押さえることができる。
【００３５】
また、本実施の形態によれば、かご本体20のかご床22には、台車31の後方への移動を規制する車止め28が設けられている。これにより、搬送物30が台車31を含む場合、すなわち荷物32を台車31に載せてかご室3に積み込む場合、かご室3内での台車31の位置を安定させることができる。この結果、搬送物30が搬送中にかご室3内で荷崩れを起こしたり移動したりすることが、効果的に抑制される。
【００３６】
また、本実施の形態によれば、上記かご室3を有する小荷物専用昇降機1で搬送物30を搬送する方法は、ドアパネル21aを上方にスライドさせて出し入れ口20aを開放する工程と、開放された出し入れ口20aを通じて搬送物30をかご本体20内に配置する工程と、ドアパネル21aを下方にスライドさせて出し入れ口20aを閉鎖しつつ搬送物固定シート50の前端51を下降させて、搬送物固定シート50で搬送物30を押さえる工程と、を備えている。
【００３７】
このような搬送方法によれば、特別な操作を伴うことなく、通常の積み込み作業を行うだけで、搬送物30が搬送中にかご室3内で荷崩れを起こしたり移動したりすることを抑制することができる。具体的には、かご室3内に搬送物30を配置した後にドアパネル21aを下方にスライドさせるだけで、搬送物固定シート50によって搬送物30をかご室3内に固定することができる。
【００３８】
（第２の実施の形態）
次に、図５乃至図７を参照し、第２の実施の形態における小荷物専用昇降機1のかご室3Aについて説明する。
【００３９】
図５乃至図７に示す第２の実施の形態においては、かごドア21の上ドアパネル21aとシート固定部60との間で搬送物固定シート50を支持する中間支持部70が設けられている点が異なる。その他の構成は、図１乃至図４に示す第１の実施の形態と略同一である。図５乃至図７に示す第２の実施の形態において、図１乃至図４に示す第１の実施の形態と同一部分には同一符号を付して詳細な説明は省略する。
【００４０】
図５に示すように、中間支持部70は、かご室3A内において、かごドア21の上ドアパネル21aとシート固定部60との間に設けられている。図６に示すように、中間支持部70は、かごドア21の上ドアパネル21aの近傍において、幅方向に延びている。中間支持部70は、かご室3Aの上半部内を上下方向に移動可能である。具体的には、一対の側板23,24の各々には、その前端の近傍に、当該側板23,24の上半部の領域を上下方向に延びるかご内ガイドレール71,72が設けられている。各かご内ガイドレール71,72の上端は、天板26の近傍に位置している。また、図７から理解されるように、各かご内ガイドレール71,72の下端は、閉鎖位置にある上ドアパネル21aの下端よりも上方に位置している。中間支持部70は、かご内ガイドレール71,72に沿って昇降することができる。各かご内ガイドレール71,72の下端には、ストッパ71a,72aが設けられている。ストッパ71a,72aは、中間支持部70の、かご内ガイドレール71,72の下端よりも下方への移動を規制する。中間支持部70がかご内ガイドレール71,72の下端まで移動すると、その両端部がストッパ71a,72aによって下方から支持される。
【００４１】
また、上述したように、上ドアパネル21aの下端には、かご室3A内に向けて突出する突出部21cが設けられている。図５から理解されるように、中間支持部70は、上下方向に見て、突出部21cと重なる位置に配置されている。したがって、中間支持部70は、突出部21cがストッパ71a,72aよりも上方に位置する場合、突出部21cによって下方から支持される。すなわち、中間支持部70は、突出部21cがストッパ71a,72aよりも上方に位置する間は、上ドアパネル21aの上下方向の移動にともなって上下方向に移動するが、突出部21cがストッパ71a,72aよりも下方に位置する間は、ストッパ71a,72aによって支持されて静止する。
【００４２】
中間支持部70には、搬送物固定シート50を挿通する挿通孔73が設けられている。図示された例では、挿通孔73は、中間支持部70の後面70aと下面70bに開口している。図７に示すように、搬送物固定シート50は、上ドアパネル21aから突出する突出部21cと中間支持部70の下面70bとの間を延びる第１領域50aと、中間支持部70の挿通孔73内を延びる第２領域50bと、中間支持部70の後面70aとシート固定部60（後板25）との間を延びる第３領域50cとを有する。
【００４３】
図７に示すように、上ドアパネル21aが閉鎖位置に有る場合、搬送物固定シート50は、その前端51の上方に位置する第２領域50bにおいて、中間支持部70によって支持される。中間支持部70から搬送物固定シート50には、前方に向かう力F2が働く。これにより、搬送物固定シート50から搬送物30に後方に向けて働く力を緩和することができる。したがって、搬送物固定シート50から搬送物30に働く力F1のうち、下方に向けて働く力の割合を大きくすることができる。この結果、搬送物30をより安定して固定することができる。
【００４４】
なお、図示された例では、中間支持部70は搬送物固定シート50に対して移動可能である。したがって、中間支持部70の移動にともなって、搬送物固定シート50内における第２領域50bの位置は変化する。これにより、搬送物固定シート50の第１領域50aおよび第３領域50cの各々に働く張力に大きな差が生じることを抑制することができる。そして、搬送物固定シート50が固定される上ドアパネル21aおよび固定部60の一方に、過剰な負荷が掛かることを防止することができる。また、搬送物固定シート50の一部に過剰な張力が働くことを防止することができ、搬送物固定シート50を長寿命化させることができる。もちろん、中間支持部70は搬送物固定シート50に対して移動不能であってもよい。
【００４５】
次に、搬送物30をかご室3Aに積み込む際の、中間支持部70および搬送物固定シート50の動作について説明する。
【００４６】
まず、かご出し入れ口20aのかごドア21が閉鎖している状態において、中間支持部70は、上ドアパネル21aの下端よりも上方で、かご内ガイドレール72の下端に設けられたストッパ71a,72aによって支持されている。次に、かごドア21を開放するため、上ドアパネル21aを上方に移動させると、これにともなって、上ドアパネル21aの下端に設けられた突出部21cが上方へ移動する。突出部21cがストッパ71a,72aの高さまで上昇すると、中間支持部70は、突出部21cによって下方から支持される。その後、中間支持部70は突出部21cと共に上昇する。そして、かごドア21が開放されている間、中間支持部70は、突出部21cに支持されて、天板26の近傍に留まる。
【００４７】
次に、搬送物30をかご室3Aに配置した後、かごドア21を閉鎖するため、上ドアパネル21aを下降させる。上ドアパネル21aの下降にともなって、上ドアパネル21aの突出部21cおよび突出部21cに支持された中間支持部70が下降する。突出部21cがストッパ71a,72aの高さまで下降すると、中間支持部70は、ストッパ71a,72aによって下方から支持されて、下降を止める。その後、上ドアパネル21aはさらに下降して、かご出し入れ口20aが閉鎖される。そして、かご出し入れ口20aが閉鎖されている間、中間支持部70は、ストッパ71a,72aに支持されて、上ドアパネル21aの下端よりも上方に留まる。
【００４８】
このように、第２の実施の形態によれば、小荷物専用昇降機1のかご室3Aは、ドアパネル21aとシート固定部60との間に設けられ、ドアパネル21aの上下方向の移動に伴ってかご本体20の内部を上下方向に移動可能に支持された中間支持部70を更に備え、搬送物固定シート50は、前端51よりも上方で、中間支持部70によって支持されている。これにより、搬送物固定シート50から搬送物30に後方に向けて働く力を緩和することができる。したがって、搬送物固定シート50から搬送物30に働く力F1のうち、下方に向けて働く力の割合を大きくすることができる。この結果、搬送物30をより安定して固定することができる。
【００４９】
また、本実施の形態によれば、中間支持部70は、搬送物固定シート50に対して移動可能である。これにより、搬送物固定シート50の前端51側の領域および後端52側の領域の各々に働く張力に大きな差が生じることを抑制することができる。そして、搬送物固定シート50が固定されるドアパネル21aおよび固定部60の一方に、過剰な負荷が掛かることを防止することができる。また、搬送物固定シート50の一部に過剰な張力が働くことを防止することができ、搬送物固定シート50を長寿命化させることができる。
【００５０】
（第３の実施の形態）
次に、図８乃至図１０を参照し、第３の実施の形態における小荷物専用昇降機1のかご室3Bについて説明する。
【００５１】
図８乃至図１０に示す第３の実施の形態においては、シート固定部60Bがかご本体20の内部を上下方向に移動可能である点が異なる。その他の構成は、図５乃至図７に示す第２の実施の形態と略同一である。図８乃至図１０に示す第３の実施の形態において、図５乃至図７に示す第２の実施の形態と同一部分には同一符号を付して詳細な説明は省略する。
【００５２】
図８乃至図１０に示す例において、シート固定部60Bは、後板25の近傍で幅方向に延びている。シート固定部60Bは、かご室3Bの上半部内を上下方向に移動可能である。具体的には、一対の側板23,24の各々には、その後端の近傍に、当該側板23,24の上半部の領域を上下方向に延びる後方かご内ガイドレール61,62が設けられている。各後方かご内ガイドレール61,62の上端は、天板26の近傍に位置している。また、図１０から理解されるように、各後方かご内ガイドレール61,62の下端は、かご内ガイドレール71,72の下端と同じ高さに位置している。シート固定部60Bは、後方かご内ガイドレール61,62に沿って昇降することができる。
【００５３】
シート固定部60Bと中間支持部70とは、前後方向に延びる一対の連結部材63,64を介して連結されている。これにより、シート固定部60Bは、中間支持部70の動きに伴って、昇降する。すなわち、かごドア21が開放されるとき、シート固定部60Bは上昇し、かごドア21が閉鎖されるとき、シート固定部60Bは下降する。
【００５４】
一対の連結部材63,64の一方63は、シート固定部60Bおよび中間支持部70の一方の端部を連結している。また、一対の連結部材63,64の他方64は、シート固定部60Bおよび中間支持部70の他方の端部を連結している。搬送物固定シート50は、一対の連結部材63,64の間に配置される。シート固定部60Bおよび中間支持部70の昇降に伴って、搬送物固定シート50の全体が昇降する。
【００５５】
かごドア21が開放されているとき、中間支持部70およびシート固定部60Bは天板26の近傍に配置される。したがって、搬送物固定シート50の全体が、天板26の近傍に配置される。これにより、搬送物30のかご室3B内への出し入れが搬送物固定シート50によって阻害される、ということを更に効果的に抑制することができる。
【００５６】
また、図示された例では、かごドア21が閉鎖されているとき、シート固定部60Bは、中間支持部70と同じ高さに位置する。これにより、搬送物固定シート50から搬送物30に働く力F1のうち、下方に向けて働く力の割合を大きくすることができる。この結果、搬送物30をより安定して固定することができる。
【００５７】
このように、第２の実施の形態によれば、シート固定部60Bは、かご本体20の内部を上下方向に移動可能である。これにより、かご出し入れ口20aが開放された際、搬送物固定シート50の全体をかご室3の上部に配置することができる。この結果、かご室3B内への搬送物30の出し入れが搬送物固定シート50によって阻害される、ということを更に効果的に抑制することができる。
【００５８】
なお、上述してきた一実施形態に対して様々な変更を加えることが可能である。例えば、搬送物固定シート50は、前後方向に伸縮可能でなくてもよい。あるいは、搬送物固定シート50は、前後方向の各位置において、伸縮性が異なっていてもよい。例えば、図１１に示すように、搬送物固定シート50は、前後方向に並ぶ複数のシート要素50x,50y,50zを含んでいてもよい。そして、搬送物固定シート50を前後方向に伸長させた場合の複数のシート要素50x,50y,50zの前後方向の伸長率は、互いに異なっていてもよい。この場合、各シート要素50x,50y,50zの上記伸長率の大小関係を変更することにより、搬送物固定シート50から搬送物30に対して働く力F1の大きさおよび向きを変更することができる。例えば、複数のシート要素50x,50y,50zのうち最も前端にあるシート要素50xが最も大きい伸長率を有する場合、搬送物固定シート50から搬送物30に対して働く力F1のうち、下方に向けて働く力の割合を大きくすることができる。この結果、搬送物30をより安定して固定することができる。
【００５９】
上述した実施の形態やその変形は、発明の範囲や要旨に含まれるとともに、特許請求の範囲に記載された発明とその均等の範囲に含まれる。また、当然のことながら、本発明の要旨の範囲内で、上述した実施の形態やその変形を、部分的に適宜組み合わせることも可能である。
【符号の説明】
【００６０】
1：小荷物専用昇降機、2：昇降路、3,3A,3B：かご室、20：かご本体、20a：かごドア出し入れ口、21：かごドア、21a：上ドアパネル、30：搬送物、50：搬送物固定シート、51：前端、52：後端、60,60B：シート固定部、70：中間支持部
【図１】
2020083559.tif 000003
【図２】
2020083559.tif 000004
【図３】
2020083559.tif 000005
【図４】
2020083559.tif 000006
【図５】
2020083559.tif 000007
【図６】
2020083559.tif 000008
【図７】
2020083559.tif 000009
【図８】
2020083559.tif 000010
【図９】
2020083559.tif 000011
【図１０】
2020083559.tif 000012
【図１１】
2020083559.tif 000013
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
昇降路内を昇降するかご本体と、
前記かご本体の出し入れ口に上下方向にスライド可能に設けられたドアパネルと、
前端と後端とを有し、前端が前記ドアパネルに固定された搬送物固定シートと、
前記搬送物固定シートの後端を固定したシート固定部と、
前記ドアパネルと前記シート固定部との間に設けられ、前記ドアパネルの上下方向の移動に伴って前記かご本体の内部を上下方向に移動可能に支持された中間支持部と、を備え、
前記搬送物固定シートは、前記前端よりも上方で、前記中間支持部によって支持されている
ことを特徴とする小荷物専用昇降機のかご室。
【請求項２】
前記シート固定部は、前記かご本体の後板または天板を含む
ことを特徴とする請求項１に記載の小荷物専用昇降機のかご室。
【請求項３】
前記シート固定部は、前記かご本体の内部を上下方向に移動可能である
ことを特徴とする請求項１に記載の小荷物専用昇降機のかご室。
【請求項４】
前記中間支持部は、前記搬送物固定シートに対して移動可能である
ことを特徴とする請求項１乃至３のいずれか一項に記載の小荷物専用昇降機のかご室。
【請求項５】
請求項１乃至４のいずれか一項に記載のかご室を有する小荷物専用昇降機で搬送物を搬送する方法であって、
前記ドアパネルを上方にスライドさせて前記出し入れ口を開放する工程と、
開放された前記出し入れ口を通じて搬送物を前記かご本体内に配置する工程と、
前記ドアパネルを下方にスライドさせて前記出し入れ口を閉鎖しつつ前記搬送物固定シートの前端を下降させて、前記搬送物固定シートで前記搬送物を押さえる工程と、を備えた
ことを特徴とする搬送方法。